(57)【要約】【課題】車両ライト及び車両ライトの光路伝導装置のコストを削減する。【解決手段】光路伝導装置は、光学素子（１）、車両ライトレンズ（５ａ、５ｂ）及び少なくとも１つの光源（６）を含み、光学素子（１）は複数の集光ユニット（２）の集光装置又は反射鏡（３）を有し、車両ライトレンズ（５ａ、５ｂ）の一方の面に円心から外に向かって直径が順次増大する同心円パターン（７）が設けられ、車両ライトレンズ（５ａ、５ｂ）の他方の面が平面である。当該車両ライトの光路伝導装置は、車両ライトレンズ（５ａ、５ｂ）の厚さを大幅に減らし、車両ライトのサイズを縮小し、自動車ライト及び他の部品の組立とレイアウトを容易にし、簡単な構造、比較的安いコストを実現する。【選択図】図３
2021507484.tif 000002
【特許請求の範囲】
【請求項１】
光源から射出された光線を集めるための光学素子(１)、車両ライトレンズ(５ｂ)及び少なくとも１つの光源(６)を含む車両ライトの光路伝導装置であって、
前記車両ライトレンズ(５ｂ)の一方の面に、円心から外に向かって直径が順次増大する同心円パターン(７)が設けられ、前記車両ライトレンズ(５ｂ)の他方の面が平面であり、
前記光学素子(１)の焦点と前記車両ライトレンズ(５ｂ)の焦点は合焦点(８)で重なり、前記光源(６)から射出された光線は前記光学素子(１)により前記合焦点(８)に集められ、前記車両ライトレンズ(５ｂ)から射出されることを特徴とする車両ライトの光路伝導装置。
【請求項２】
前記車両ライトレンズ(５ｂ)はフレネルレンズであることを特徴とする請求項１に記載の車両ライトの光路伝導装置。
【請求項３】
前記車両ライトレンズ(５ｂ)の正面は平面であり、前記同心円パターン(７)は車両ライトレンズ(５ｂ)の正面又は背面に設けられることを特徴とする請求項１に記載の車両ライトの光路伝導装置。
【請求項４】
前記光学素子(１)は、先端直径が大きく後端直径が小さいラッパ形である集光ユニット(２)を複数有し、前記集光ユニット(２)の先端は光学素子(１)の焦点を向いており、集光ユニット(２)の後端に集光口(４)が設けられ、各集光ユニット(２)の集光口(４)内に１つの光源(６)が設けられることを特徴とする請求項１に記載の車両ライトの光路伝導装置。
【請求項５】
各集光ユニット(２)はいずれも回転体構造であり、各集光ユニット(２)の中心軸線は前記合焦点(８)で交わることを特徴とする請求項３に記載の車両ライトの光路伝導装置。
【請求項６】
前記光学素子(１)は楕円反射面を有する反射鏡(３)であり、前記光源(６)から射出された光線は前記反射鏡(３)によって前記合焦点(８)に反射されることを特徴とする請求項１に記載の車両ライトの光路伝導装置。
【請求項７】
光学素子(１)から車両ライトレンズ(５ｂ)に射出される一部光線を遮断する遮光板(１０)をさらに含むことを特徴とする請求項１に記載の車両ライトの光路伝導装置。
【請求項８】
前記車両ライトレンズ(５ｂ)は非円形であることを特徴とする請求項１に記載の車両ライトの光路伝導装置。
【請求項９】
前記車両ライトレンズ(５ｂ)は円形、長方形、三角形又は扇形であることを特徴とする請求項１に記載の車両ライトの光路伝導装置。
【請求項１０】
請求項１〜９のいずれか一項に記載の前記車両ライトの光路伝導装置を１又は複数含むことを特徴とする車両ライト。
【発明の詳細な説明】
【技術分野】
【０００１】
本発明は車両ライト及びその光路伝導装置に関し、自動車製造技術分野に属する。
【背景技術】
【０００２】
現在、自動車ヘッドライトの造形は目覚ましく進歩しており、レンズ形状の多様化と自由に配列組合できるパーソナライズマルチモジュール形式は造形の主流になっている。
【０００３】
従来の伝統的なハイビーム、ロービーム又はハイ／ロービーム一体型ＬＥＤ  ＰＥＳユニットはシングルモジュール又はマルチモジュールの形式にかかわらず、図１に示すように、従来技術の車両ライト内の車両ライトレンズ５ａは一般的に一方の面が凸面となり、他方の面が平面となる構造であり，形状は単一であり、かつ開口サイズが大きく、壁面が厚いため、モジュール空間、ライト全体のサイズと重量を大きくし、複雑で多様な造形変換が容易でない。
【発明の概要】
【発明が解決しようとする課題】
【０００４】
これにより、如何にしてロービーム、ハイビーム等の機能を満たすと同時に、体積が小さく、重量が軽く、特にレンズ形状が多様のＰＥＳユニットであってロービーム、ハイビーム照明を実現できるだけでなく、同時にモジュール空間とライト全体のサイズを効果的に縮小し、造形ニーズに応じて任意のマルチモジュール形式を配列できるため未来の自動車市場におけるヘッドライトニーズに対応できるＰＥＳユニットを提供するかは、当該分野の技術的課題となっている。
【課題を解決するための手段】
【０００５】
以上の従来技術における欠点を鑑み、本発明の目的は車両ライトのサイズを縮小し、簡単な構造、比較的安いコストを実現できる車両ライト及びその光路伝導装置を提供することにある。
【０００６】
前記目的を実現するため、本発明は車両ライトの光路伝導装置を提供しており、その技術的解決手段は、光源から射出された光線を集めるための光学素子、車両ライトレンズ及び少なくとも１つの光源を含み、前記車両ライトレンズの一方の面に円心から外に向かって直径が順次増大する同心円パターンが設けられ、車両ライトレンズの他方の面が平面である。
【０００７】
前記光学素子の焦点と車両ライトレンズの焦点は合焦点で重なり、前記光源から射出された光線は光学素子を介して前記合焦点に集められ、車両ライトレンズから射出される。
【０００８】
前記の通り、本発明における車両ライトの光路伝導装置において、一方の面に円心から外に向かって直径が順次増大する同心円パターンが設けられ、他方の面が平面であるレンズを車両ライトレンズとする。これにより、車両ライトレンズの厚さを大幅に減らし、車両ライトのサイズを縮小し、自動車ライト及び他の部品の組立とレイアウトを容易にし、簡単な構造、比較的安いコストを実現する。
【０００９】
好ましくは、前記車両ライトレンズがフレネルレンズである。フレネルレンズはＦｒｅｓｎｅｌレンズ又は鋸歯状凹溝レンズと呼ぶことができる。
【００１０】
好ましくは、前記車両ライトレンズの正面は平面であり、前記同心円パターンは車両ライトレンズの正面又は背面に設けられる。
【００１１】
好ましくは、前記光学素子は先端直径が大きく後端直径が小さいラッパ形である集光ユニットを複数有し、前記集光ユニットの先端は光学素子の焦点を向いており、集光ユニットの後端に集光口が設けられ、各集光ユニットの集光口内に１つの光源が設けられる。このように、光学素子は各集光口内の光源から射出された光を合焦点に集め車両ライトレンズに導くことができ、車両ライトレンズから射出された光線の光度と強度を高めることができる。
【００１２】
好ましくは、各集光ユニットはいずれも回転体構造であり、各集光ユニットの中心軸線は前記合焦点で交わる。各集光ユニットは透明な材料から製造し、集光ユニットのラッパ形の外面の内側は光を反射でき、各集光口内の光源から射出された光線は集光ユニットのラッパ形の外面の内側により反射された後に前記合焦点に集められ、最終的に車両ライトレンズから射出され、車両ライトレンズから射出された光線の光度と強度を高めることができる。
【００１３】
好ましくは、前記光学素子は楕円反射面を有する反射鏡であり、前記光源から射出された光線は前記反射鏡によって前記合焦点に反射される。楕円反射面を有する反射鏡製造が容易で、集光機能を有するため、本発明における光学素子に対する機能要件を満たすことができ、本発明における光学素子として使用できる。
【００１４】
好ましくは、光学素子から車両ライトレンズに射出される一部光線を遮断する遮光板を含む。
【００１５】
好ましくは、前記車両ライトレンズは非円形である。
【００１６】
好ましくは、前記車両ライトレンズは円形、長方形、三角形又は扇形である。
【００１７】
好ましくは、前記光源はＬＥＤライトである。
【００１８】
従って、本発明はさらに、１つ又は複数の前記技術的解決手段又はいずれか１つの好ましい技術的解決手段に記載した前記車両ライトの光路伝導装置を含む車両ライトを提供する。
【発明の効果】
【００１９】
前記の通り、本発明は車両ライトに関し、当然、前記本発明における車両ライトの光路伝導装置の有益な効果を有するが、ここでは説明を繰り返さない。
【図面の簡単な説明】
【００２０】
【図１】図１は従来技術における車両ライト光路伝導装置に用いる車両ライトレンズを示す図である。
【図２】図２は本発明における車両ライト光路伝導装置に用いる車両ライトレンズの径方向に沿った断面を示す断面図である。
【図３】図３は本発明における車両ライト光路伝導装置の実施形態を示し、車両ライトレンズの径方向に沿った断面を示す断面図である。
【図４】図４は、図３内の集光装置の構造形式を示し、集光装置における各集光ユニットの回転中心線に沿った断面を示す断面図である。
【図５】図５は本発明における車両ライト光路伝導装置のもう１つの実施形態を示し、車両ライトレンズの径方向に沿った断面図である。
【図６】図６は本発明における車両ライト光路伝導装置のシングルモジュールの配光パターンを示す図である。
【図７】図７は本発明における車両ライト光路伝導装置のシングルモジュールの配光パターンを示す図である。
【図８】図８は本発明における車両ライト光路伝導装置のシングルモジュール補助拡張ワイド配光パターンを示す図である。
【図９】図９は本発明における車両ライト光路伝導装置のシングルモジュール補助拡張ワイド配光パターンを示す図である。
【図１０】図１０は本発明における車両ライト光路伝導装置のシングルモジュール補助拡張ワイド配光パターンを示す図である。
【図１１】図１１は本発明における車両ライト光路伝導装置のロービーム配光パターン図である。
【図１２】図１２は本発明における車両ライト光路伝導装置のハイビーム配光パターン図である。
【図１３】図１３は本発明における車両ライト光路伝導装置の自動車エンブレムに使用する光輝領域を示す図である。
【図１４】図１４は本発明における車両ライト光路伝導装置の自動車エンブレムに使用する光輝領域を示す図である。
【図１５】図１５は本発明における車両ライト光路伝導装置の自動車エンブレムに使用する光輝領域を示す図である。
【図１６】図１６は本発明における車両ライト光路伝導装置の自動車エンブレムに使用する光輝領域を示す図である。
【図１７】図１７は本発明における車両ライト光路伝導装置の自動車エンブレムに使用する光輝領域を示す図である。
【図１８】図１８は本発明における車両ライト光路伝導装置の自動車エンブレムに使用する光輝領域を示す図である。
【図１９】図１９は本発明における車両ライト光路伝導装置の自動車エンブレムに使用する光輝領域を示す図である。
【図２０】図２０は本発明における車両ライト光路伝導装置の自動車エンブレムに使用する光輝領域を示す図である。
【発明を実施するための形態】
【００２１】
以下に特定の具体的な実施例によって本発明の実施形態を説明するが、当業者であれば本明細書に開示された内容によって本発明の他の利点及び効果を容易に理解することができる。
【００２２】
本発明の説明において説明すべきことは、本明細書の図面に示す構造、比率、サイズ等は、説明書に開示される内容を組み合わせたものであり、当業者が容易に理解するためであり、本発明の実施可能な限定的な条件を限定するものではなく、技術的な実質的な意味、任意の構造の修飾、比率の変更や大きさの調整等は、本発明の効果及び達成される目的を損なわない限り、本発明の技術的範囲に含まれる。また、本明細書において引用された「上」、「下」、「左」、「右」、「中間」及び「１」等の用語は、本発明を簡略に説明するためのものであり、本発明の実施可能な範囲を限定するものではなく、その相対的な関係の変更や調整は、実質的な技術内容の変更がない限り、本発明の実施可能な範囲に含まれると見なされるべきである。
【００２３】
図２から図５に示すように、本発明は光源から射出された光線を集めるための光学素子１、車両ライトレンズ５ｂ及び少なくとも１つの光源６を含み、前記車両ライトレンズ５ｂの一方の面に円心から外に向かって直径が順次増大する同心円パターン７が設けられ、車両ライトレンズ５ｂの他方の面が平面であり、前記光学素子１の焦点と車両ライトレンズ５ｂの焦点は合焦点８で重なり、前記光源６から射出された光線は光学素子１を介して前記合焦点８に集められ、車両ライトレンズ５ｂから射出される車両ライトの光路伝導装置を提供する。本発明における車両ライトの光路伝導装置は、一方の面に円心から外に向かって直径が順次増大する同心円パターン７が設けられ、他方の面が平面であるレンズを車両ライトレンズ５ｂとする。これにより、車両ライトレンズ５ｂの厚さを大幅に減らし、車両ライトのサイズを縮小し、自動車ライト及び他の部品の組立とレイアウトを容易にし、簡単な構造、比較的安いコストを実現する。
【００２４】
本発明における車両ライトの光路伝導装置において、前記車両ライトレンズ５ｂは同心円パターン７を有し、図５に示すように、車両ライトレンズ５ｂの中心に沿った断面を見ると、車両ライトレンズ５ｂにおける同心円パターン７の一方の面は一連の鋸歯状凹溝により構成され、前記同心円パターン７は実際に環状の鋸歯状凹溝であり、各鋸歯状凹溝と隣接する鋸歯状凹溝との間の角度は異なる。光線が合焦点８から車両ライトレンズ５ｂに入射した後、車両ライトレンズ５ｂを介して平行光又は拡散光線となり車両ライト外へ射出され、各環状の鋸歯状凹溝は独立した小型レンズと見なされることができ，光線を平行光となるように調整する。好ましくは、前記車両ライトレンズ５ｂの正面は平面であり、前記同心円パターン７を車両ライトレンズ５ｂの正面又は背面に設けられる。
【００２５】
本発明における車両ライトの光路伝導装置において、前記車両ライトレンズ５ｂは合焦点８から車両ライトレンズ５ｂに射出した光線を車両ライトレンズ５ｂの屈折により平行光線又は拡散光線に転換して射出でき、車両ライトレンズ５ｂの一方の面に同心円パターン７が設けられ、他方の面が平面であり、同心円パターン７を有する一方の面を合焦点８に向けることができ、平面である他方の面を合焦点８に向けることもできる。好ましい実施形態として、前記車両ライトレンズ５ｂはフレネルレンズである。フレネルレンズはＦｒｅｓｎｅｌレンズ又は鋸歯状凹溝レンズとも呼ばれ、フレネルレンズを用いて本発明における車両ライトの光路伝導装置内の車両ライトレンズ５ｂの機能を実現できる。Ｆｒｅｓｎｅｌレンズは透明プラスチックＰＭＭＡ、ＰＣ又はガラス板により製造することができ、一方の面を光面とし、当該光面は平面又は小さい曲率の曲面でもよく、他方の面は同心円パターンを有する。Ｆｒｅｓｎｅｌレンズは従来の凸レンズに比べてより軽くより薄く、材料と空間を節約すると同時に同様の集光效果を達成できる。
【００２６】
本発明における車両ライトの光路伝導装置において、前記光学素子１は光源６から射出された光を合焦点８に集めることができる。好ましい実施形態として、図３と図４に示すように、前記光学素子１は、先端直径が大きく後端直径が小さいラッパ形である集光ユニット２を複数有し、前記集光ユニット２の先端は光学素子１の焦点を向いており、集光ユニット２の後端に集光口４が設けられ、各集光ユニット２の集光口４内に１つの光源６が設けられ、各集光ユニットの焦点は合焦点８と重なる。このように、光学素子１は各集光口４内の光源６から射出された光を合焦点８に集めて車両ライトレンズ５ｂに導くことができ、車両ライトレンズ５ｂから射出された光線の光度と強度を高めることができる。図３と図４に示すように、各集光ユニット２はいずれも回転体構造であり、各集光ユニット２の中心軸線は前記合焦点８で交わる。各集光ユニット２は透明な材料から製造し、集光ユニット２のラッパ形の外面の内側は光を反射でき、各集光口４内の光源６から射出された光線は集光ユニット２のラッパ形の外面の内側により反射された後に前記合焦点８に集められ、最終的に車両ライトレンズ５ｂを介して射出され、車両ライトレンズ５ｂから射出された光線の光度と強度を高めることができる。
【００２７】
本発明における車両ライトの光路伝導装置において、前記光学素子１は光源６から射出された光を合焦点８に集めることができる。もう１つの好ましい実施形態として、図５に示すように、前記光学素子１は楕円反射面を有する反射鏡３であり、前記光源６から射出された光線は前記反射鏡３によって前記合焦点８に反射される。楕円反射面を有する反射鏡３は製造が容易であり、集光機能を有するため、本発明における光学素子１に対する機能要件を満たすことができ、本発明における光学素子１として使用できる。
【００２８】
車両ライトにおいて、車両ライトに求められる配光パターン形状の車両ライトが示す光輝領域の形状は非円形であることが多い。車両ライトが求められる配光パターン形状を示すために、図３と図５に示すように、本発明における車両ライトの光路伝導装置はさらに遮光板１０を含む。遮光板１０は前記光学素子１から車両ライトレンズ５ｂに向けて射出される一部光線を遮断する。前記車両ライトレンズ５ｂの背面は受光領域９を有し、受光領域９は光学素子１から射出された光線を受光し、光源６の数量と位置、集光ユニット２の数量と位置を調整することにより、車両ライトレンズ５ｂと遮光板１０は異なる光度と形状の配光パターンを構成することができる。光源６から射出された光線を効果的に利用するため、遮光板１０上に反射材を塗装することができ、光線が遮光板１０上に照らされた後、反射されて最終的に車両ライトレンズ５ｂを介して射出される。遮光板１０の具体的な形状とレイアウト方法は車両ライトに求められる配光パターン形状に応じて確定するため、ここでは一律に列挙できない。一般的に、車両ライトはＬＥＤ等を車両ライトの光源６として用いるため、本発明における車両ライトの光路伝導装置において、前記光源６はＬＥＤライトとすることができる。
【００２９】
本発明における車両ライトの光路伝導装置において、ＬＥＤ光源６の数量と位置、集光ユニット２の数量と位置を調整することにより、車両ライトレンズ５ｂと遮光板１０は異なる光度と形状の配光パターンを構成することができる。車両ライトレンズ５ｂの形状は配光パターン領域を十分に示すことを保証できるという前提で自由に変換し、レイアウトすることができ、前記車両ライトレンズ５ｂは非円形でもよく、円形、長方形、三角形又は扇形でもよく、又は他の任意の形状でもよい。
【００３０】
本発明における車両ライトの光路伝導装置のパラメータを調整することにより異なるシングルモジュール配光パターン図を生成することができる。図６は本発明における車両ライト光路伝導装置により形成されたシングルモジュールのＨＯＴ  ＳＰＯＴ配光パターン図を示し、図７は本発明における車両ライト光路伝導装置により形成されたもう１つのシングルモジュールのＨＯＴ  ＳＰＯＴ配光パターン図を示す。図８、図９、図１０はそれぞれ本発明における車両ライト光路伝導装置のシングルモジュール補助拡張ワイド配光パターン図を示す。複数の本発明における車両ライトの光路伝導装置により、異なる配光パターンの光学性能要件を満たすこと、又は異なる配光パターン形状を構成することを実現でき、図１１は複数の本発明における車両ライト光路伝導装置を用いて重畳したロービーム配光パターン図を示し、図１２は複数の本発明における車両ライト光路伝導装置を用いて重畳したハイビーム配光パターン図を示す。前記ＨＯＴ  ＳＰＯＴ配光パターンと補助拡張ワイド配光パターンを重畳し、即ち、複数の車両ライトの光路伝導装置を組み合わせることにより異なる光学性能のロービーム又はハイビーム配光パターンを実現することができる。
【００３１】
本発明における車両ライトの光路伝導装置において、ＬＥＤ光源６の数量と位置、集光ユニット２の数量と位置、車両ライトレンズ５ｂと遮光板１０を設計・調整することにより異なる光度と形状の配光パターンを構成することができる。複数の本発明における車両ライトの光路伝導装置を用いて重畳するように異なる光学性能のロービーム配光パターン又はハイビーム配光パターンを実現することができる。光源６から射出された光線を十分に利用し、車両ライトレンズ５ｂが示す光を光度が比較的強くなるようにするために、車両ライトレンズ５ｂの焦点を車両ライトレンズ５ｂの幾何中心に対応する位置に設置することができる。
【００３２】
図１３から図２０はそれぞれ本発明における車両ライト光路伝導装置が自動車エンブレムに表示する光輝領域を示す図である。自動車エンブレムを目立たせるため、図１３から図２０のエンブレム内の黒色点線枠が示す領域を光輝領域とする。例えば、図１３の自動車エンブレム内の中央位置にある４つの長方形の黒色点線枠は車両ライトの光輝領域であり、４つの本発明における車両ライトの光路伝導装置によりこの光輝領域を構成できる。各光路伝導装置の車両ライトレンズ５ｂの形状又は車両ライトレンズ５ｂの受光領域９は図１３内の１つの黒色点線枠の領域と同じであり、車両ライトレンズ５ｂから射出された光線は図１３の黒色点線枠内の領域で発光する。また図１４に示すように、４つの本発明における車両ライトの光路伝導装置によりこの光輝領域を構成しなければならず、各光路伝導装置の車両ライトレンズ５ｂの形状又は車両ライトレンズ５ｂの受光領域９は図１４における１つの黒色点線枠の領域と同じでよく、車両ライトレンズ５ｂから射出された光線は図１３の黒色点線枠内の領域で発光する。図１５から図２０は自動車エンブレムの光輝領域における異なる構造方法を示し、これらの構造方法は、自動車エンブレムの黒色点線枠を同じだけの数量の光路伝導装置が必要であり、図１５から図２０の自動車エンブレムの黒色点線枠内の領域に応じて対応する光路伝導装置の車両ライトレンズ５ｂの形状又は車両ライトレンズ５ｂの受光領域９を設置することにより、各光路伝導装置の車両ライトレンズ５ｂから射出された光線は図内の光輝領域を構成できる。
【００３３】
その分、本発明はさらに、１つ又は複数の前記技術案又はいずれか１つの好ましい技術案に記載した前記車両ライトの光路伝導装置を含む車両ライトを提供する。本発明は車両ライトに関し、当然前記本発明における車両ライトの光路伝導装置の有益な効果を有するが、ここでは説明を繰り返さない。
【００３４】
本発明における車両ライトにおいて、図１３から図２０に示すように、各点線枠が示す領域は車両ライトの光路伝導装置が表示する配光パターンを表し、１つ又は複数の車両ライトの光路伝導装置を組み合わせることにより異なるニーズを満たすように異なる配光パターン形状を構成できる。例えば、図１３と図１４、図１５と図１６、図１７と図１８において、それぞれ１つ又は複数の車両ライトの光路伝導装置を組み合わせることにより自動車エンブレムを目立たせるように異なる配光パターンを形成する例を示す。
【００３５】
上記より、本発明は従来技術における種々の欠点を効果的に克服して高度な産業利用価値を有する。
【００３６】
前記実施形態は本発明の原理及びその効果を例示的に説明し、本発明を限定するものではない。この技術に精通している当業者であれば、本発明の精神及び範囲から逸脱しない限り、前記実施形態に修正又は変更を加えることができる。したがって、本発明に開示された精神及び技術的思想から逸脱しない限り、属する技術分野の通常の知識を有するものによって行われたすべての同等の変形又は変更は、本発明の特許請求の範囲に含まれる。
【符号の説明】
【００３７】
１  光学素子、２  集光ユニット、３  反射鏡、４  集光口、５ａ  車両ライトレンズ、５ｂ  車両ライトレンズ、６  光源、７  同心円パターン、８  合焦点、９  受光領域、１０  遮光板
【図１】
2021507484.tif 000003
【図２】
2021507484.tif 000004
【図３】
2021507484.tif 000005
【図４】
2021507484.tif 000006
【図５】
2021507484.tif 000007
【図６】
2021507484.tif 000008
【図７】
2021507484.tif 000009
【図８】
2021507484.tif 000010
【図９】
2021507484.tif 000011
【図１０】
2021507484.tif 000012
【図１１】
2021507484.tif 000013
【図１２】
2021507484.tif 000014
【図１３】
2021507484.tif 000015
【図１４】
2021507484.tif 000016
【図１５】
2021507484.tif 000017
【図１６】
2021507484.tif 000018
【図１７】
2021507484.tif 000019
【図１８】
2021507484.tif 000020
【図１９】
2021507484.tif 000021
【図２０】
2021507484.tif 000022
【国際調査報告】
2021507484.tif 000023
2021507484.tif 000024
2021507484.tif 000025
2021507484.tif 000026
2021507484.tif 000027